(57)【要約】　　　（修正有）【課題】自転車錠においてシリンダー錠の軸方向強度を強化し、ピッキングされ難く、制作も容易にする。【解決手段】シリンダー２の両側面に、軸線方向に適宜の間隔を置き、直径方向では交互に対向させて、ピン受け孔４とガイド孔５と具えた番手孔３を設け、シリンダーの軸心に直交させてキーの挿通孔６を設け、各番手孔３に頭部７と軸部８とを具えたを番手ピン９を遊嵌し、このシリンダーを嵌合するシリンダーケース１には、上記各番手孔と番手ピンとに対応する摺動ガイド孔１０を設けてばね１１と筒形のばね受け座１２を嵌装し、施錠状態においては、各番手ピンの内端部をキーの挿通孔に臨出させる一方、ばね受け座１２をシリンダーケースとシリンダーとの回転対偶面１３に位置させてシリンダーを回転不能に施錠するように構成した自転車用錠。【選択図】　　　図１
2004124410.tif 000002
【特許請求の範囲】
【請求項１】
シリンダーの直径方向で対向する両側面に、それぞれ軸線方向に沿って適宜の間隔を置き、かつ、直径方向では交互に対向するようにして、ピン受け孔とガイド孔とを連通させた適宜数の番手孔を穿孔し、シリンダーの軸心に上記各番手孔と直交させて略扁平状に板キーの挿通孔を設け、この挿通孔に、上記各番手孔のガイド孔の内端を対向方向から交互に開口させる一方、各番手孔に、上記ピン受け孔に嵌合する頭部と上記ガイド孔に嵌合する軸部とを一体に具えた番手ピンをそれぞれ遊嵌し、このシリンダーを回転自在に嵌合するシリンダーケース内に、上記番手孔と番手ピンとにそれぞれ対応する複数の摺動ガイド孔を設け、各摺動ガイド孔内にばねを嵌装し、このばねの内端に連ねた有底筒形のばね受け座を上記各番手ピンの頭部に圧接させて各番手ピンを軸心に向けて付勢し、施錠状態においては上記ばねの付勢によって各番手ピンの内端部を上記キーの挿通孔に臨出させるとともに、上記ばね受け座をシリンダーケースとシリンダーとの回転対偶面に位置させて、シリンダーを回転不能に掛止し、この施錠状態を開錠するキーには、上記番手部のピッチ間隔毎にそれぞれ所定の深さを具えた凹部を表裏両面に設け、このキーを前記挿通孔に挿入して、前記各ばね受け座をシリンダーケースの回転対偶面に、各番手ピンの頭部をシリンダーの回転対偶面にそれぞれ押し戻させることによって、上記シリンダーの回転を許容させるように構成した自転車用錠。
【請求項２】
前記キーは、中心線と平行する偏心線上に、前記番手ピンと係合する前記凹部を表裏両面に設ける一方、前記シリンダーに設ける前記キーの挿通孔は、上記偏心線の偏り分に相当する片側を幅広に形成され、挿通孔にキーの一面を挿入したときは他面の偏心した凹部は、番手ピンの位置（シリンダーの中心位置）から外れ、キーを反転して他面を挿入したときは、上記一面の凹部が番手ピンの位置から外れるように表裏両面に同偏心位置に凹部を設けて、キーをリバーシブルに使用できるように構成したことを特徴とする請求項１記載の自転車用錠。
【発明の詳細な説明】
【０００１】
【産業上の利用分野】
本発明は自転車用錠に関し、錠機構として錠本体に組み込まれるシリンダーに、板タンブラー片に代えて頭部と軸部を備えた番手ピンを嵌装し、シリンダーの回転を阻止するよう施錠位置にある番手ピンを、表裏両面に凹部のある板キーの挿入により開錠できるようにした錠前を取り付けることによって、強固な施錠状態を保ち、不法に開錠され難いようにしたことを特長とするものである。
【０００２】
【従来の技術】
従来、錠本体に組み込まれるシリンダー錠機構には、一般に、シリンダーに複数枚の板タンブラー片を昇降自在に嵌装したものを用い、キーには平板の両側縁に凹凸を付したものが用いられている（例えば、特許文献１、２、３、４参照）。
シリンダーに嵌装した板タンブラーの施錠状態を外部からより探り難くするために、板タンブラーの嵌装方向を直径方向の両側面から交互に嵌装するようにしたものには、本出願人の先願がある（例えば、特許文献５参照〕。
【０００３】
【特許文献１】
特開２０００−３５２２３５号公報（第１頁、図１）
【特許文献２】
特開２００２−２１４０１号公報（第１頁、図１）
【特許文献３】
特開２００２−４７８４７号公報（第１頁、図１）
【特許文献４】
特開２００１−２３４６４８号公報（第１頁、図１）
【特許文献５】
特開２００２−２７６２１４号公報（第１頁、図１）
【０００４】
【発明が解決しようとする課題】
上記先願のシリンダー錠機構を組み込んだ自転車用錠は、シリンダーの軸方向に直交して多数枚の板タンブラーを嵌装するために、軸方向の強度が低くなるとか、ピッキングされ易いなどの技術的な問題があり、コスト高になるという欠点があった。
このようなことから、本発明が解決しようとする課題は、シリンダーの軸方向の強度を強化してピッキングされ難くし、製作を容易にしてコストダウンできるようにすることにある。
【０００５】
【課題を解決するための手段】
そこで本発明は、上記の課題を解決するために、シリンダーの直径方向で対向する両側面に、それぞれ軸線方向に沿って適宜の間隔を置き、かつ、直径方向では交互に対向するようにして、ピン受け孔とガイド孔とを連通させた適宜数の番手孔を穿孔し、シリンダーの軸心に上記各番手孔と直交させて略扁平状に板キーの挿通孔を設け、この挿通孔に、上記各番手孔のガイド孔の内端を対向方向から交互に開口させる一方、各番手孔に、上記ピン受け孔に嵌合する頭部と上記ガイド孔に嵌合する軸部とを一体に具えた番手ピンをそれぞれ遊嵌し、このシリンダーを回転自在に嵌合するシリンダーケース内に、上記番手孔と番手ピンとにそれぞれ対応する複数の摺動ガイド孔を設け、各摺動ガイド孔内にばねを嵌装し、このばねの内端に連ねた有底筒形のばね受け座を上記各番手ピンの頭部に圧接させて各番手ピンを軸心に向けて付勢し、施錠状態においては上記ばねの付勢によって各番手ピンの内端部を上記キーの挿通孔に臨出させるとともに、上記ばね受け座をシリンダーケースとシリンダーとの回転対偶面に位置させて、シリンダーを回転不能に掛止し、この施錠状態を開錠するキーには、上記番手部のピッチ間隔毎にそれぞれ所定の深さを具えた凹部を表裏両面に設け、このキーを前記挿通孔に挿入して、前記各ばね受け座をシリンダーケースの回転対偶面に、各番手ピンの頭部をシリンダーの回転対偶面にそれぞれ押し戻させることによって、上記シリンダーの回転を許容させるように構成した自転車用錠を提供するものである。
【０００６】
上記のように構成した本発明自転車用錠は、従来のシリンダーに設ける板タンブラー片の嵌装用の孔に比べて工作の容易な丸孔の穿孔ができるので製作に有利でコストダウンができる。
また、キーの挿通孔に臨出するように各板タンブラー片に設けるキーとの係合部に比べて、番手ピンの内端部を挿通孔に臨出させるようにした本発明自転車用錠は、キーとの係合部に比較的に高い強度が具わる。また、キーの挿通孔を用いるピッキング操作も従来の板タンブラー片の場合に比べて探り難くなり、不法には開錠し難くなる。
以上のようにして本発明は前記の課題を解決したものである。
【０００７】
そして、キーの表裏両面に、中心線と平行する偏心線上に位置させて番手ピンと係合する凹部を同位置に設ける一方、シリンダー側に設けるキーの挿通孔を、上記偏心線の偏り分に相当する片側を幅広に形成して、キーの一面を挿通孔に挿入したときは他面の凹部は、偏心位置にあって番手ピンの位置（シリンダーの中心位置）から外れ、キーを反転して他面を挿入したときは、上記一面の凹部が偏心位置にあって番手ピンの臨出位置から外れるように表裏両面に同じ偏心位置に凹部を設けて、キーをリバーシブルに使用できるように構成した請求項２の発明によれば、鍵穴に挿入する際に番手ピンと係合する凹部のあるキーの差し込み面を考慮しないで無造作な使い方ができるので、特に開錠を急ぐときとか、明るさが不足する場合等の使用に好適する。
【０００８】
【実施例】
以下に本発明の実施例を図面について説明する。
図１は、本発明に係るシリンダー錠機構の開錠状態を示す一部切欠縦断面図、図２は、本発明に係るキーの平面図、図３は、キーの裏面図、図４は、シリンダーの平面図、図５は、シリンダーの縦断面図、図６は底面図、図７は、シリンダー錠機構の縦断面図、図８は、自転車用錠の錠本体にシリンダー錠機構を組み込んだ状態を示す正面図、図９は、同上の左側面図である。
【０００９】
図において、１は、シリンダーケース、２は、シリンダーケース１内に回転自在に嵌合するシリンダー、３は、シリンダーの直径方向で対向する両側面（図示上下面）に、シリンダーの軸線方向に沿ってそれぞれ適宜の間隔を置き、かつ、直径方向では交互に対向するように円形に穿孔した、やや大径のピン受け孔４と、ピン受け孔４の内端部に連通する比較的に小径のガイド孔５とからなる番手孔、６は、各番手孔３と直交し、図７に示すように、シリンダー２の軸心に対して偏心して略扁平状に設けられ、各番手孔３のガイド孔５の内端を対向方向（図示上下）から交互に開口させたキーの挿通孔である。
【００１０】
上記各番手孔３には、図１と図７とに示すように、球面に形成した頭部７をピン受け孔４に嵌合させ、頭部７と一体に連なり内端を略円錐形に形成した軸部８をガイド孔５に嵌合させた番手ピン９が摺動自在にそれぞれ嵌装されている。
この実施例においては、シリンダー側に設ける各ピン受け孔４の深さを一定にして、各番手ピン９の頭部７の長さを変えることによりシリンダー錠機構における番手を設定しているが、本発明の実施に際しては上記頭部７の長さを一定とし、ピン受け孔４の深さを変えて番手を設定する場合もある。
【００１１】
一方、このシリンダー２を回転自在に嵌合するシリンダーケース１内には、上記番手孔３と番手ピン９とにそれぞれ対応する同数の摺動ガイド孔１０を設け、各摺動ガイド孔１０に、有底筒形のばね受け座１２を内端に連ねて、コイル形のばね１１を嵌装し、各摺動ガイド孔１０内でばね受け座１２を介してばね１１に各番手ピン９の頭部７を軸心に向けて付勢している。
なお、番手ピン９、摺動ガイド孔１０、ピン受け孔４と番手孔３はそれぞれ円形断面に形成されている。
【００１２】
そして、キーが挿通孔６に挿入されていないとき、各番手ピン９は、ばね１１に付勢されつつ、頭部７と摺動ガイド孔１０との嵌合深さに従って、軸部８の内端に具えた円錐形の先端部を挿通孔６内に臨ませている。また、このとき、各番手ピン９の頭部７と圧接している有底筒形のばね受け座１２は、その側面をシリンダーケース１とシリンダー２との間の回転対偶面１３に位置させてシリンダー２の回転を阻止する施錠状態を保持する。
【００１３】
施錠状態を開錠するキー１４は、図２、３に示すように、キー１４の中心線Ｌに平行する扁心線Ｌ’、Ｌ”上に、番手ピン９のピッチ間隔に対応する間隔で略円錐形の凹部１５を設けていてリバーシブルに使用できるようにしている。
すなわち、キー１４の平面図（図２）に示す表面の偏心線Ｌ’上の凹部１５ａ、ｂ、ｃ、ｄ、は、図１の断面図に示すように上側の各番手ピン９に対応し、裏面（図３）の偏心線Ｌ’上の凹部１５ｅ、ｆ、ｇは、図１の断面図に示す下側の各番手ピン９に対応し、偏心線Ｌ”上の各凹部１５は、キー１４を裏返して使用するときに上記上下の各番手ピン９と対応して、挿通孔６内にキー１４を差し込むと、図１に示すように、凹部１５の深さに応じて各番手ピン９をばね１１に抗して押し戻す。
各番手ピン９が上記のように押し戻されると、施錠時に回転対偶面１３に位置していた有底筒形のばね受け座１２と、摺動ガイド孔１０内の各番手ピン９の頭部７は、それぞれ回転対偶面１３上で互いに向かい合って、シリンダーケース１とシリンダー２との相対的な回転を可能にする（開錠が可能になる）。
【００１４】
実施例に図示するよう、各番手ピン９の頭部７の端面を球面に形成し、ばね受け座１２の底部を隅丸にすると、上記開錠回転操作時における頭部７と摺動ガイド孔１０との擦れ違いがスムーズにできる。また、各番手ピン９の軸部８の内端と、キー１４の凹部１５をそれぞれ略円錐形にし、キー１４の先端部を図示のように表裏とも傾斜面に形成すると、キー１４の出し入れ操作と、それに対応する番手ピン９の動作がそれぞれスムーズに行われる。
【００１５】
なお図中、１６はシリンダーケース１とシリンダー２とに嵌合してシリンダー２を抜け止めするストッパーピン、１７はシリンダー２側に設けた該ピン１６の誘導溝、１８はキー１４の摘み、１９はシリンダー１に穿孔した摺動ガイド孔１０を覆うカバー部材である。
この実施例において、キー１４の表裏面に各番手ピン９とそれぞれ係合する凹部１５を設けることにより、キーの表裏を確かめることを無用にして開錠操作が無造作にできるようにし、開錠を急ぐときとか、駐輪場所が暗い場合の不便を解消できる。
【００１６】
以上のようにして、この実施例のように、シリンダー２の両側面に番手ピン９を嵌装すると、番手ピンのピッチ間隔を少なくして強固な自転車用錠を製作することができる。また、不法な開錠操作がし難い自転車用錠を提供できる。
【００１７】
【発明の効果】
前記のように構成され上記のように用いられるようにした本発明自転車用錠は、板タンブラー片に変えて番手ピンを使用するので、製作が容易になるとともに、強固で操作の容易な自転車用錠を提供できるなど、きわめて有用である。
【図面の簡単な説明】
【図１】図１は、本発明に係るシリンダー錠機構の開錠状態を示す一部切欠縦断面図
【図２】図２は、本発明に係るキーの平面図
【図３】図３は、キーの裏面図
【図４】図４は、シリンダーの平面図
【図５】図５は、シリンダーの縦断面図
【図６】図６は、底面図
【図７】図７は、シリンダー錠機構の縦断面図
【図８】図８は、自転車用錠の錠本体にシリンダー錠機構を組み込んだ状態を示す正面図、
【図９】図９は、同上の左側面図である。
【符号の説明】
１　シリンダーケース
２　シリンダー
３　番手孔
４　ピン受け孔
５　ガイド孔
６　キーの挿通孔
７　頭部
８　軸部
９　番手ピン
１０　摺動ガイド孔
１１　ばね
１２　ばね受け座
１３　回転対偶面
１４　キー
１５　凹部
１６　ストッパーピン
１７　誘導溝
１８摘み
１９　カバー部材
Ｌ　中心線
Ｌ’、Ｌ”　偏心線
【図１】
2004124410.tif 000003
【図２】
2004124410.tif 000004
【図３】
2004124410.tif 000005
【図４】
2004124410.tif 000006
【図５】
2004124410.tif 000007
【図６】
2004124410.tif 000008
【図７】
2004124410.tif 000009
【図８】
2004124410.tif 000010
【図９】
2004124410.tif 000011